(57)【要約】【課題】誰がどんな状況であっても、ペン型カートリッジに対して注射針を正確に取り付けることが可能なペン型注射器取付用補助具を提供することを目的とする。【解決手段】ペン型注射器用取付補助具１は、ペン型カートリッジ保持部１２、及び針ケース固定部１３から構成されている。ペン型カートリッジ保持部１２は、ペン型カートリッジ３を一の方向に沿って水平移動可能なように凹溝が形成されている。針ケース固定部１３は、針ケース５の鍔部５２が嵌挿可能なスリット１３ａと、針ケース５の先端を支持可能な支持部１３ｂから構成されており、針ケース５の鍔部５２をスリット１３ａに嵌挿させると、水平状態を保持した状態で針ケース５を固定することができる。この状態で、ペン型カートリッジ３を水平移動させることで、ペン型カートリッジ３に対して針ケース５に一体化された注射針４を確実に装着することができる。【選択図】図２
0003220082.tif 000002
【実用新案登録請求の範囲】
【請求項１】
先端に注射針が挿通可能なゴム栓を有するペン型カートリッジを水平に支持した状態で水平方向に移動自在に保持可能なペン型カートリッジ保持部と、
開放端である後端から先端にかけて先細形状であって、内部に針キャップが被着された注射針を含む針ケースの前記開放端が、前記ペン型カートリッジの前記ゴム栓と対向し、前記ゴム栓の軸心を通過する水平軸上に前記注射針が位置するように前記針ケースを固定可能な針ケース固定部と、を備える
ペン型注射器用取付補助具。
【請求項２】
前記ペン型カートリッジ保持部は、一の方向に沿って延びた所定長さ、及び所定深さを有する断面略Ｕ字状の凹溝が形成され、
前記針ケース固定部は、前記針ケースの前記開放端の周縁から外側に突出する鍔部が嵌挿可能であり前記凹溝よりも所定に深底であって一の方向に略直交する方向に延びる所定長さのスリットが形成された
請求項１に記載のペン型注射器用取付補助具。
【請求項３】
前記針ケース保持部には、前記針キャップの先端を支持する支持部を有する
請求項１または請求項２に記載のペン型注射器用取付補助具。
【考案の詳細な説明】
【技術分野】
【０００１】
本考案は、ペン型注射器用取付補助具に関する。詳しくは、誰がどんな状況であっても、ペン型カートリッジに対して注射針を正確に取り付けることが可能なペン型注射器用取付補助具に係るものである。
【背景技術】
【０００２】
従来より、糖尿病を治療するために血糖値の調節が行われるが、糖尿病が進行したＩ型糖尿病では体内でインスリンが分泌されないため、定期的にインスリンを投与する必要があり、インスリンの投与は、専ら皮下注射により行われる。そして、インスリンの注射は１日に数回行うため、自宅や職場等で患者本人が必要なときに簡易に注射できるようにする必要があることから、ペン型注射器が考案されている。
【０００３】
ペン型注射器は、体内に注入するインスリン量を正確に設定できるとともに、簡易に注射でき、持ち運びも容易である。このペン型注射器には、カートリッジタイプと使い捨てタイプの２種類が存在する。カートリッジタイプのペン型注射器においては、糖尿病患者によって決められた所定量のインスリン製剤が内包されたペン型カートリッジの先端に、針ケースに内蔵されているキャップ状の専用の注射針をねじ込んで取付け、その後に注射針を治療箇所に刺してインスリン製剤を体内に注射する。そして、ペン型注射器の注射後においては、ペン型カートリッジから注射針を取り外して医療廃棄物として廃棄する。
【０００４】
ここで、糖尿病患者は、脳血管障害や壊疽、転倒等による骨折、そして体の片側の麻痺等によって片手しか使えない状態となっている場合もある。このように片手しか使えない患者のために、インスリンを患者自身で皮下注入するための補助具が提案されている。
【０００５】
例えば特許文献１には、図３に示すようなペン型注射器用補助具が記載されている。即ち、特許文献１に記載のペン型注射器用補助具１０１は、ペン型注射器１０２の針ケース１０３を固定する針ケース固定装置１０４と、ペン型注射器１０２の針キャップ１０５を固定する針キャップ固定装置１０６を有する。
【０００６】
このようなペン型注射器用補助具１０１の使用方法としては、まず、ペン型注射器用補助具１０１を机に固定し、ペン型注射器用補助具１０１の針ケース固定装置１０４に針ケース１０３を設置する。次に、ペン型カートリッジ１０７を、針ケース１０３中の注射針に接続する。そして、注射針が接続されたペン型カートリッジ１０７を針ケース１０３から取り外し、続いて針キャップ１０５を針キャップ固定装置１０６に固定して針キャップ１０５を外す、という一連の方法が開示されている。
【先行技術文献】
【特許文献】
【０００７】
【特許文献１】特開２００７−１４６１５号公報
【考案の概要】
【考案が解決しようとする課題】
【０００８】
前記の特許文献１によれば、片手が不自由な患者であっても、簡単な操作によってペン型カートリッジに注射針を接続し、インスリンを患者自身で皮下注入することが可能となっている。
【０００９】
ところで、注射針は細く長いため、ペン型カートリッジに注射針を接続する際には、机上に置いたペン型カートリッジと注射針が一体となった針ケースが平行となるように細心の注意をしなければならず、少しでも注射針が斜めに挿入されてしまうと、注射針の一部がペン型カートリッジの側面に当たってしまい、注射針が曲がったり、折れたりする可能性がある。従って、医師等がペン型注射器の使用方法を患者に説明する際には、必ずペン型カートリッジを注射針に対して真っ直ぐに接続するようにとの指導がされる。
【００１０】
しかしながら、糖尿病患者全体の１０〜２０％には目のかすみといった視力低下の傾向があることや、指先の震え、発汗等により、手先の繊細な作業に支障を生じ得る可能性が多分にある。そのため糖尿病患者にとっては、ペン型カートリッジと針ケースの平行状態を保ったまま、注射針をペン型カートリッジに真っ直ぐに挿入することが非常に困難な作業となっている。
【００１１】
本考案は、以上の点に鑑みて創案されたものであり、誰がどんな状況であっても、ペン型カートリッジに対して注射針を正確に取り付けることが可能なペン型注射器用取付補助具を提供することを目的とするものである。
【課題を解決するための手段】
【００１２】
前記の目的を達成するために、本考案のペン型注射器用取付補助具は、先端に注射針が挿通可能なゴム栓を有するペン型カートリッジを水平に支持した状態で水平方向に移動自在に保持可能なペン型カートリッジ保持部と、開放端である後端から先端にかけて先細形状であって、内部に針キャップが被着された注射針を含む針ケースの前記開放端が、前記ペン型カートリッジの前記ゴム栓と対向し、前記ゴム栓の軸心を通過する水平軸上に前記注射針が位置するように前記針ケースを固定可能な針ケース固定部とを備える。
【００１３】
ここで、先端に注射針が挿通可能なゴム栓を有するペン型カートリッジを水平に支持した状態で水平方向に移動自在に保持可能なペン型カートリッジ保持部を備えることにより、ペン型カートリッジを水平に支持した状態で一の方向に移動自在となるように保持することができる。従って、視力低下や指先の震え、発汗等の症状を有する患者であってもペン型カートリッジを容易に一の方向に向けて平行移動させることが可能となる。
【００１４】
また、開放端である後端から先端にかけて先細形状であって、内部に針キャップが被着された注射針を含む針ケースの開放端が、ペン型カートリッジのゴム栓と対向し、ゴム栓の軸心を通過する水平軸上に注射針が位置するように針ケースを固定可能な針ケース固定部を備えることにより、注射針が露出する側をペン型カートリッジに向けて針ケースを固定することができる。
【００１５】
上記のように、注射針が露出する側（開放端側）をペン型カートリッジに向けて針ケースを固定することができるため、ペン型カートリッジに注射針を挿入する際には、ペン型カートリッジを針ケースの開放端に向けて平行移動させるだけで、注射針をペン型カートリッジのゴム栓に挿入することができる。そして、針ケースは針ケース固定部に固定されているため、患者はペン型カートリッジを操作する利き手とは反対側の手で添えるだけでよい。
【００１６】
このとき、針ケースとペン型カートリッジの位置関係は、ペン型カートリッジのゴム栓の軸心を通過する水平軸上に針ケース内に一体となった注射針が位置するため、ペン型カートリッジを水平方向に平行移動させると、必然的に注射針がペン型カートリッジのゴム栓の略中心に挿入される。従って、視力低下や指先の震え、発汗等の症状を有する患者であっても、注射針をペン型カートリッジに真っ直ぐに挿入することができる。即ち、注射針をゴム栓に挿入する際に、注射針がゴム栓の周囲の金属キャップ等に当接することにより注射針が曲がったり、折れたりするといった不具合を防止することができる。
【００１７】
また、ペン型カートリッジ保持部は、一の方向に沿って延びた所定長さ、及び所定深さを有する断面略Ｕ字状の凹溝が形成されている場合には、略円柱形状のペン型カートリッジを嵌挿させた状態で、凹溝の長さ方向（一の方向）に沿って容易に平行移動させることができる。このとき、凹溝が断面略Ｕ字状であるため、ペン型カートリッジを平行移動させる際に、凹溝から逸脱する虞もない。
【００１８】
また、針ケース固定部は、針ケースの開放端の周縁から外側に突出する鍔部が嵌挿可能であり、凹溝よりも所定に深底であって一の方向に略直交する方向に延びる所定長さのスリットが形成されている場合には、針ケースの鍔部をスリットに嵌挿させることができる。
【００１９】
このとき、スリットは、第１の凹部よりも深底であるため、鍔部がスリットの奥深くまで嵌挿されるため、針ケースの針ケース固定部に対してより強固に固定することができる。
【００２０】
また、針ケース保持部には、針ケースの先端を支持する支持部を有する場合には、針ケースの先端は先細形状であることから、針ケースの鍔部をスリットに嵌挿した場合には、針ケースが先端側に倒れ込む可能性がある。そのため、針ケースの先端を支持する支持部を有することにより、針ケースの先端側への倒れ込みを防止し、より安定した状態で針ケースを固定することができる。従って、より確実に注射針をペン型カートリッジに真っ直ぐに挿入することが可能となる。
【考案の効果】
【００２１】
本考案に係るペン型注射器用取付補助具は、誰がどんな状況であっても、ペン型カートリッジに対して注射針を正確に取り付けることが可能なものとなっている。
【図面の簡単な説明】
【００２２】
【図１】本考案の実施形態に係るペン型注射器用取付補助具の斜視図である。
【図２】本考案の実施形態に係るペン型注射器用取付補助具を私用してペン型カートリッジと針ケースを装着する状態を示す図である。
【図３】従来技術を示す図である。
【考案を実施するための形態】
【００２３】
以下、ペン型注射器用取付補助具に係る本考案の実施の形態について、図面を参照しながら説明し、本考案の理解に供する。なお、各図において説明の便宜上、ペン型注射器用取付補助具を設置面に設置した状態において、ペン型注射器用取付補助具の設置面から上方に向かう方向を上方向、上方向の反対方向を下方向、上方向および下方向により表される軸方向を鉛直方向、鉛直方向と垂直な軸方向を水平方向とそれぞれ定義する。
【００２４】
まず、本考案に係るペン型注射器用取付補助具１で使用されるペン型注射器２について、図１、及び図２に基づいて説明する。ペン型注射器２は主にペン型カートリッジ３、注射針４、及び針ケース５から構成されている。
【００２５】
ペン型カートリッジ３は、薬液であるインスリンが充填されるカートリッジ３１、カートリッジ３１の先端部分に装着されて注射針４が貫通可能なゴム栓３２、カートリッジ３１内のインスリンを外部に向けて押し出すピストン３３、ピストン３３で押し出す薬用量を設定した後にインスリンを押し出すための注入ボタン３４から主に構成されている。
【００２６】
ピストン３３で押し出すインスリン量は、例えば注入ボタン３４と一体化されたダイヤル（図示しない）により設定することができる。具体的にはダイヤルが回転されると、ダイヤル表示部（図示しない）に、設定するインスリン量（単位）が表示される。使用者においてダイヤルによりインスリン量を設定した後に、後端にある注入ボタン３４を押すと、ピストン３３によってカートリッジ３１内のインスリンが押し出され、注射針４からインスリンが吐出される。
【００２７】
注射針４の先端には、安全上、又は衛生上のため、針キャップ４１が被着されており、注射針４に対して容易に着脱自在となっている。使用者はペン型注射器２でインスリンを皮下注入する際には、注射針４に被着されている針キャップ４１を取り外して使用する。
【００２８】
針ケース５は、針キャップ４１が被着された注射針４をさらに保護するものであって、先端部分が注射針４の形状にあわせて先細の形状であり、後端側が開放端５１となっている。開放端５１の開放端縁には、外方に向けて突出する鍔部５２が周設されている。
【００２９】
以上のように構成されたペン型注射器２は、未使用時においては、針キャップ４１が被着された注射針４が針ケース５と一体化され、ペン型カートリッジ３は先端部分にキャップ（図示しない）が装着された状態で保管されている。
【００３０】
次に、同じく図１、及び図２を用いて本考案の実施形態に係るペン型注射器用取付補助具１の全体構成について説明する。
【００３１】
ペン型注射器用取付補助具１は、ペン型カートリッジ３を保持するためのペン型カートリッジ保持部１２、内部に針キャップ４１が被着された注射針４を有する針ケース５を固定するための針ケース固定部１３から構成されている。
【００３２】
ペン型カートリッジ保持部１２は、略方形状をしたベース部材１１の上面に、ペン型カートリッジ３の最大径の円弧に合わせた断面略Ｕ字状の凹溝が一端から他端に向けて一の方向に沿って形成されている。また、ペン型カートリッジ保持部１２は、ペン型カートリッジ３を凹溝内に嵌挿した状態において、ペン型カートリッジ３を凹溝の長さ方向に沿って円滑なスライド移動が可能となっている。
【００３３】
ここで、必ずしも、ペン型カートリッジ保持部１２は、断面略Ｕ字状の凹溝が一の方向に沿って形成された構成である必要はない。ペン型カートリッジ保持部１２はペン型カートリッジ３を保持した状態で、一の方向（ペン型カートリッジ３の長さ方向）に沿って平行移動できるものであればどのような形態であってもよい。例えば、ペン型カートリッジ３が貫通可能な貫通孔が形成されたリブを、ペン型カートリッジ３の平行移動方向に沿って複数設置し、そのリブの貫通孔を挿通しながらペン型カートリッジ３を平行移動させる構成であってもよい。
【００３４】
ただし、ペン型カートリッジ保持部１２が断面略Ｕ字状の凹溝から構成されている場合には、追加の部品等が必要なく、またペン型カートリッジ３のペン型カートリッジ保持部１２への設置が容易であるとともに、スライド移動も円滑に行うことができる。従って、経済性、及び操作性の観点からもペン型カートリッジ保持部１２は本考案の実施形態に係る構成であることが好ましい。
【００３５】
針ケース固定部１３は、針ケース５の形状に合わせてペン型カートリッジ保持部１２に連接するようにベース部材１１に凹設されている。具体的には、針ケース５の鍔部５２が嵌挿可能であるスリット１３ａと、針ケース５の先端部分を支持して針ケース５を水平状態に維持するための支持部１３ｂから主に構成されている。
【００３６】
スリット１３ａは、ペン型カートリッジ保持部１２に連接し、ペン型カートリッジ保持部１２の凹溝の長さ方向とは略直交する方向に形成されている。スリット１３ａの深さはペン型カートリッジ保持部１２の凹溝の深さよりもやや深く形成されており、具体的には針ケース５の鍔部５２の高さと略同じに設定されている。そのため針ケース５の鍔部５２をスリット１３ａに嵌挿した状態において、針ケース５の水平方向の移動が規制されるものとなっている。
【００３７】
ここで、必ずしも、スリット１３ａの深さは、針ケース５の鍔部５２の高さと略同じである必要はなく、針ケース５の鍔部５２の高さよりも浅く設定してもよい。ただし、スリット１３ａの深さが針ケース５の鍔部５２の高さよりも浅い場合には、針ケース固定部１３での針ケース５の固定が不安定になるため、針ケース５の安定した固定という観点からは鍔部５２の高さとスリット１３ａの深さは略一致することが好ましい。
【００３８】
支持部１３ｂは、針ケース５の先端部分を支持するものであって、鍔部５２をスリット１３ａに嵌挿した状態において、針ケース５が先端側に倒れ込むことを防止して、針ケース５の全体を水平状態に維持するものである。支持部１３ｂは、針ケース５をスリット１３ａに嵌挿した状態において、針ケース５の先端部分が当接する位置を頂点とする山形状から構成されている。
【００３９】
ここで、必ずしも、支持部１３ｂは、山形状である必要はなく、針ケース５の鍔部５２をスリット１３ａに嵌挿した状態において、針ケース５が水平状態を保持できるものであればどのような形状であってもよい。例えば、針ケース５の先端が当接可能な突起部をベース部材１１上に設けておいてもよい。
【００４０】
次に、このように構成されたペン型注射器用取付補助具１を使用してペン型カートリッジ３に注射針４を取り付ける手順について説明する。
【００４１】
まず、使用者は、針キャップ４１により被着された注射針４が一体となった針ケース５の鍔部５２を、針ケース固定部１３のスリット１３ａに嵌挿し、針ケース５の先端を支持部１３ｂで支持させる。このとき、針ケース５の水平状態が保持されているかを目視により確認することが好ましい。
【００４２】
続いて、インスリンが充填されたペン型カートリッジ３をペン型カートリッジ保持部１２に載置する。このとき、カートリッジ３１の先端に装着されたゴム栓３２の軸心を通過する仮想直線の延長線上に針ケース５の開放端５１を通して露出する注射針４が位置することを目視により確認することが好ましい。
【００４３】
針ケース５とペン型カートリッジ３の水平状態が確認できたら、例えば針ケース５を一方の手で添えて移動を規制し、他方の手でペン型カートリッジ３を軽く把持する。この状態で、ペン型カートリッジ３をペン型カートリッジ保持部１２の凹溝に沿って、針ケース５の開放端５１に向けてスライド移動させる。
【００４４】
ペン型カートリッジ３のゴム栓３２に注射針４が貫通したことを確認したら、針ケース５とペン型カートリッジ３が一体となったペン型注射器２をペン型注射器用取付補助具１から取り外し、さらに針ケース５、及び針キャップ４１を取り外す。
【００４５】
以上の工程により、ペン型注射器２のセットが完了し、使用者は注射針４を患部に向けて注射し、インスリンの注入作業が終了する。
【００４６】
以上、本考案に係るペン型注射器取付補助具は、誰がどんな状況であっても、ペン型カートリッジに対して注射針を正確に取り付けることが可能なものとなっている。
【符号の説明】
【００４７】
１      ペン型注射器用取付補助具
１１      ベース部材
１２      ペン型カートリッジ保持部
１３      針ケース固定部
１３ａ      スリット
１３ｂ      支持部
２      ペン型注射器
３      ペン型カートリッジ
３１      カートリッジ
３２      ゴム栓
３３      ピストン
３４      注入ボタン
４      注射針
４１      針キャップ
５      針ケース
５１      開放端
５２      鍔部
【図１】
0003220082.tif 000003
【図２】
0003220082.tif 000004
【図３】
0003220082.tif 000005
【手続補正書】
【提出日】平成30年12月14日(2018.12.14)
【手続補正１】
【補正対象書類名】実用新案登録請求の範囲
【補正対象項目名】全文
【補正方法】変更
【補正の内容】
【実用新案登録請求の範囲】
【請求項１】
先端に注射針が挿通可能なゴム栓を有するペン型カートリッジを水平に支持した状態で
水平方向に移動自在に保持可能なペン型カートリッジ保持部と、
開放端である後端から先端にかけて先細形状であって、内部に針キャップが被着された
注射針を含む針ケースの前記開放端が、前記ペン型カートリッジの前記ゴム栓と対向し、
前記ゴム栓の軸心を通過する水平軸上に前記注射針が位置するように前記針ケースを固定
可能な針ケース固定部と、を備える
ペン型注射器用取付補助具。
【請求項２】
前記ペン型カートリッジ保持部は、一の方向に沿って延びた所定長さ、及び所定深さを
有する断面略Ｕ字状の凹溝が形成され、
前記針ケース固定部は、前記針ケースの前記開放端の周縁から外側に突出する鍔部が嵌
挿可能であり前記凹溝よりも所定に深底であって一の方向に略直交する方向に延びる所定
長さのスリットが形成された
請求項１に記載のペン型注射器用取付補助具。
【請求項３】
前記針ケース固定部には、前記針キャップの先端を支持する支持部を有する
請求項１または請求項２に記載のペン型注射器用取付補助具。